(57)【特許請求の範囲】
【請求項１】
情報処理された情報を表示する第１の表示手段と、前記第１の表示手段の表示画面上に配置された座標情報を入力する入力手段とを含み、前記情報とは異なる情報を表示する第２の表示手段が接続され、前記情報処理を行う情報処理装置であって、
前記第２の表示手段が前記第１の表示手段に接続されたか否かを検出する検出手段と、
前記第２の表示手段にユーザインタフェース部品が表示されているか否かを監視する監視手段と、
前記検出手段により前記第２の表示手段が前記第１の表示手段に接続されたことが検出され、前記監視手段により前記第２の表示手段に前記ユーザインタフェース部品が表示されていると判断されたとき、前記入力手段の入力形態をスライドパッド入力に切り替えるよう制御する制御手段と、
を含むことを特徴とする情報処理装置。
【請求項２】
前記第１の表示手段が非表示状態であるとき、前記入力手段の入力形態をスライドパッド入力に切り替ることを特徴とする請求項１記載の情報処理装置。
【請求項３】
前記情報処理装置にユーザインタフェース入力手段が接続されているか否かを検知する検知手段をさらに含み、前記検知手段により前記情報処理装置に前記ユーザインタフェース入力手段が接続されていないことが検知されたとき、前記入力手段の入力形態をスライドパッド入力に切り替えることを特徴とする請求項１又は２に記載の情報処理装置。
【請求項４】
情報処理された情報を表示する第１の表示手段と、前記第１の表示手段の表示画面上に配置された座標情報を入力する入力手段とを含み、前記情報とは異なる情報を表示する第２の表示手段が接続され、前記情報処理を行う情報処理装置の制御方法であって、
前記第２の表示手段が前記第１の表示手段に接続されたか否かを検出する工程と、
前記第２の表示手段にユーザインタフェース部品が表示されているか否かを監視する工程と、
前記検出する工程により前記第２の表示手段が前記第１の表示手段に接続されたことが検出され、前記監視する工程により前記第２の表示手段に前記ユーザインタフェース部品が表示されていると判断されたとき、前記入力手段の入力形態をスライドパッド入力に切り替えるよう制御する工程と、
を含むことを特徴とする制御方法。
【請求項５】
情報処理された情報を表示する第１の表示手段と、前記第１の表示手段の表示画面上に配置された座標情報を入力する入力手段とを含み、前記情報とは異なる情報を表示する第２の表示手段が接続され、前記情報処理を行う情報処理装置のコンピュータに、
前記第２の表示手段が前記第１の表示手段に接続されたか否かを検出する処理と、
前記第２の表示手段にユーザインタフェース部品が表示されているか否かを監視する処理と、
前記検出する処理により前記第２の表示手段が前記第１の表示手段に接続されたことが検出され、前記監視する処理により前記第２の表示手段に前記ユーザインタフェース部品が表示されていると判断されたとき、前記入力手段の入力形態をスライドパッド入力に切り替えるよう制御する処理と、
を実行させるための制御プログラム。
【発明の詳細な説明】
【技術分野】
【０００１】
本発明は、情報処理装置、情報処理装置の制御方法、及び制御プログラムに関する。
【背景技術】
【０００２】
昨今、板状の本体表面全面にタッチパネル式ディスプレイを搭載し、マウス等の入力デバイスを具備しないパーソナルコンピュータ（以下、「スレートＰＣ（Personal Computer）」という。）が、モバイル端末の１つとして普及しつつある。
【０００３】
また、特許文献１には、タッチパネルを備えた携帯型端末機器が、情報処理装置の着脱部に装着され、携帯型端末機器のタッチパネルを操作することにより、情報処理装置による情報処理の結果をディスプレイに表示させる技術が開示されている。
【先行技術文献】
【特許文献】
【０００４】
【特許文献１】特開２０１０−０７９７１５号公報
【発明の概要】
【発明が解決しようとする課題】
【０００５】
しかしながら、スレートＰＣに対する操作は、キーボードやマウス等の入力デバイスによるものではなく、タッチパネルによるユーザインタフェース（ＵＩ）操作となっているため、スレートＰＣに対してプロジェクタを含む外部ディスプレイを接続すると、この外部ディスプレイ側にはタッチパネル等のユーザインタフェース（ＵＩ）部品が存在しないために、外部ディスプレイに対するユーザインタフェース（ＵＩ）操作を行うことができないという問題がある。
【０００６】
この問題は、引用文献１に記載された情報処理装置に対して外部ディスプレイを接続した場合も同様であり、外部ディスプレイ側にはタッチパネル等のユーザインタフェース（ＵＩ）部品が存在しないために、外部ディスプレイに対するユーザインタフェース（ＵＩ）操作を行うことができないという問題は依然として解消されない。
【０００７】
そこで本発明は、上記従来の問題点に鑑みてなされたもので、スレートＰＣにおいて、タッチパネル等のユーザインタフェース（ＵＩ）部品が存在しない外部ディスプレイが接続された場合であっても、当該外部ディスプレイに対する操作を行うことができる情報処理装置、情報処理装置の制御方法、及び制御プログラムを提供することを目的とする。
【課題を解決するための手段】
【０００８】
上記課題を解決するため、請求項１に記載の本発明における情報処理装置は、情報処理された情報を表示する第１の表示手段と、前記第１の表示手段の表示画面上に配置された座標情報を入力する入力手段とを含み、前記情報とは異なる情報を表示する第２の表示手段が接続され、前記情報処理を行う情報処理装置であって、前記第２の表示手段が前記第１の表示手段に接続されたか否かを検出する検出手段と、前記第２の表示手段にユーザインタフェース部品が表示されているか否かを監視する監視手段と、前記検出手段により前記第２の表示手段が前記第１の表示手段に接続されたことが検出され、前記監視手段により前記第２の表示手段に前記ユーザインタフェース部品が表示されていると判断されたとき、前記入力手段の入力形態をスライドパッド入力に切り替えるよう制御する制御手段と、を含むことを特徴とする。
【０００９】
また、本発明における情報処理装置は、請求項１に記載の情報処理装置において前記第１の表示手段が非表示状態であるとき、前記入力手段の入力形態をスライドパッド入力に切り替ることを特徴とする。
【００１０】
さらに、本発明における情報処理装置は、請求項１又は２に記載の情報処理装置において、前記情報処理装置にユーザインタフェース入力手段が接続されているか否かを検知する検知手段をさらに含み、前記検知手段により前記情報処理装置に前記ユーザインタフェース入力手段が接続されていないことが検知されたとき、前記入力手段の入力形態をスライドパッド入力に切り替えることを特徴とする。
【００１１】
また、上記課題を解決するため、請求項４に記載の本発明における情報処理装置の制御方法は、情報処理された情報を表示する第１の表示手段と、前記第１の表示手段の表示画面上に配置された座標情報を入力する入力手段とを含み、前記情報とは異なる情報を表示する第２の表示手段が接続され、前記情報処理を行う情報処理装置の制御方法であって、前記第２の表示手段が前記第１の表示手段に接続されたか否かを検出する工程と、前記第２の表示手段にユーザインタフェース部品が表示されているか否かを監視する工程と、前記検出する工程により前記第２の表示手段が前記第１の表示手段に接続されたことが検出され、前記監視する工程により前記第２の表示手段に前記ユーザインタフェース部品が表示されていると判断されたとき、前記入力手段の入力形態をスライドパッド入力に切り替えるよう制御する工程と、を含むことを特徴とする。
【００１２】
そして、上記課題を解決するため、請求項５に記載の本発明における情報処理装置の制御プログラムは、情報処理された情報を表示する第１の表示手段と、前記第１の表示手段の表示画面上に配置された座標情報を入力する入力手段とを含み、前記情報とは異なる情報を表示する第２の表示手段が接続され、前記情報処理を行う情報処理装置のコンピュータに、前記第２の表示手段が前記第１の表示手段に接続されたか否かを検出する処理と、前記第２の表示手段にユーザインタフェース部品が表示されているか否かを監視する処理と、前記検出する処理により前記第２の表示手段が前記第１の表示手段に接続されたことが検出され、前記監視する処理により前記第２の表示手段に前記ユーザインタフェース部品が表示されていると判断されたとき、前記入力手段の入力形態をスライドパッド入力に切り替えるよう制御する処理と、を実行させることを特徴とする。
【発明の効果】
【００１４】
本発明によれば、スレートＰＣにおいて、タッチパネル等のユーザインタフェース部品（ＵＩ）が存在しない外部ディスプレイが接続された場合であっても、当該外部ディスプレイに対する操作を行うことができる情報処理装置、情報処理装置の制御方法、及び制御プログラムを得ることができる。
【図面の簡単な説明】
【００１５】
【図１】本発明の実施形態における情報処理装置全体の構成を示すブロック図である。
【図２】本発明の実施形態における情報処理装置の動作を示すフローチャート図である。
【発明を実施するための形態】
【００１６】
次に、本発明を実施するための形態について図面を参照して詳細に説明する。なお、各図中、同一又は相当する部分には同一の符号を付しており、その重複説明は適宜に簡略化乃至省略する。
【００１７】
図１は、本発明の実施形態における情報処理装置全体の構成を示すブロック図である。図１において、情報処理装置１０は、表示部（以下、「内部ディスプレイ」ともいう。）１１と、入力部１２と、制御部１３とで構成され、表示部２１を有する外部ディスプレイ２０と接続されている。入力部１２は、表示部１１を指又はタッチペン等で押下した箇所の絶対的な位置を検出するタッチパネルで構成されている。また、情報処理装置１０として、スレートＰＣを想定して説明を行う。
【００１８】
情報処理装置１０の制御部１３は、表示部１１と入力部１２とを制御し、ＵＩ（User Interface）入力デバイス検知部１３１と、表示部接続検出部１３２と、表示監視部１３３と、入力切替変換部１３４と、ＵＩ部品表示監視部１３５と、入力形態変換部１３６とから構成されている。
【００１９】
ＵＩ入力デバイス検知部１３１は、情報処理装置１０に対してマウス等の入力デバイスが接続されているか否かを検知するものである。また、表示部接続検出部１３２は、情報処理装置１０に対して外部ディスプレイ２０が接続されているか否かを検出するものである。
【００２０】
さらに、表示監視部１３３は、内部ディスプレイ１１の表示が停止しているか否かを監視するものである。そして、入力切替変換部１３４は、入力部１２からの入力形態を、上述したタッチパネル入力から、指又はタッチペン等を表示部１１上でスライド移動し相対的な距離だけマウスポインタを移動させるスライドパッド入力に切替変換するものである。
【００２１】
また、ＵＩ部品表示監視部１３５は、外部ディスプレイ２０の表示部２１に、ボタンやチェックボックスなどのグラフィカルユーザインターフェイス部品が表示されているか否かを監視するものである。そして、入力形態変換部１３６は、入力部１２からの入力が、タッチパネルをあたかもスライドパッド入力のように使用できるよう切り替えるためのユーザインタフェース（ＵＩ）ボタンを内部ディスプレイ１１に表示させるものである。
【００２２】
そして、ＵＩ入力デバイス検知部１３１、表示部接続検出部１３２、表示監視部１３３、入力切替変換部１３４、ＵＩ部品表示監視部１３５、入力形態変換部１３６、外部ディスプレイ２０、及び表示部２１は、それぞれ制御部１３の図示しないＣＰＵ（Central Processing Unit）が、図示しないＲＯＭ（Read Only Memory）、ＲＡＭ（Random Access Memory）等からなる記憶部に格納されたプログラムを実行することにより制御される。
【００２３】
次に、本発明の実施の形態における情報処理装置１０の動作について説明する。図２は、本発明の実施形態における情報処理装置１０の動作を示すフローチャート図である。なお、以下の説明では、情報処理装置１０の表示部１１に表示される画像と、外部ディスプレイ２０の表示部２１に表示される画像とは、異なるものであることを前提として説明する。
【００２４】
まず最初に、マウス等のユーザインタフェース（ＵＩ）デバイスが、情報処理装置１０に接続されているか否かがＵＩ入力デバイス検知部１３１により検知され（ステップ（以下、「Ｓ」という。）２０１）、マウス等のユーザインタフェース（ＵＩ）デバイスが接続されていると検知された場合には（Ｓ２０１：Ｙｅｓ）、本発明の目的である外部ディスプレイ２０の表示部２１に表示されたユーザインタフェース（ＵＩ）部品を操作することが可能となるので、後のステップに移行しない。
【００２５】
マウス等のユーザインタフェース（ＵＩ）デバイスが接続されていないと検知された場合には（Ｓ２０１：Ｎｏ）、Ｓ２０２へ移行し、内部ディスプレイ１１に対して外部ディスプレイ２０が接続されているか否かが表示部接続検出部１３２により検出される。内部ディスプレイ１１に対して外部ディスプレイ２０が接続されていないと検出された場合には（Ｓ２０２：Ｎｏ）、本発明の目的である外部ディスプレイ２０の表示部２１に表示されたユーザインタフェース（ＵＩ）部品を操作することがそもそも必要ないので、後のステップに移行しない。
【００２６】
Ｓ２０２において、内部ディスプレイ１１に対して外部ディスプレイ２０が接続されていると判断された場合には（Ｓ２０２：Ｙｅｓ）、Ｓ２０３へ移行し、内部ディスプレイ１１の表示が停止しているか否かが表示監視部１３３により監視される。内部ディスプレイ１１の表示が停止していると判断された場合には（Ｓ２０３：Ｙｅｓ）、Ｓ２０４へ移行し、内部ディスプレイ１１における入力部１２からの入力形態が、入力切替変換部１３４によりタッチパネル入力からスライドパッド入力に切替変換され、Ｓ２０５においてスライドパッドが操作されることにより、外部ディスプレイ２０の表示部２１上のユーザインタフェース（ＵＩ）部品を操作することができる。
【００２７】
一方、Ｓ２０３において、内部ディスプレイ１１の表示が停止していないと判断された場合には（Ｓ２０３：Ｎｏ）、Ｓ２０６へ移行し、外部ディスプレイ２０の表示部２１にユーザインタフェース（ＵＩ）部品が表示されているか否かがＵＩ部品表示監視部１３５により監視される。外部ディスプレイ２０の表示部２１にユーザインタフェース（ＵＩ）部品が表示されていないと判断された場合には（Ｓ２０６：Ｎｏ）、Ｓ２１０へ移行し、外部ディスプレイ２０の表示部２１には従来のままプレゼンテーション用の画面等が表示され、Ｓ２０６に戻る。
【００２８】
また、外部ディスプレイ２０の表示部２１にユーザインタフェース（ＵＩ）部品が表示されていると判断された場合には（Ｓ２０６：Ｙｅｓ）、Ｓ２０７へ移行し、入力形態変換部１３６により、内部ディスプレイ１１における入力部１２からの入力が、タッチパネルをあたかもスライドパッド入力のように使用できるよう切り替えるためのユーザインタフェース（ＵＩ）ボタンが内部ディスプレイ１１に表示される。そして、Ｓ２０８において、このユーザインタフェース（ＵＩ）ボタンが押下されたか否かが判断される。このユーザインタフェース（ＵＩ）ボタンが押下されないと判断された場合には（Ｓ２０８：Ｎｏ）、内部ディスプレイ１１における入力部１２からの入力が、スライドパッド入力のように使用されないこととなるので、外部ディスプレイ２０の表示部２１には従来のままプレゼンテーション用の画面等が表示され（Ｓ２１１）、Ｓ２０８に戻る。
【００２９】
一方、Ｓ２０８において、ユーザインタフェース（ＵＩ）ボタンが押下されたと判断された場合には（Ｓ２０８：Ｙｅｓ）、内部ディスプレイ１１における入力部１２からの入力が、あたかもスライドパッド入力のように使用されることにより、外部ディスプレイ２０の表示部２１上のユーザインタフェース（ＵＩ）部品を操作することができる（Ｓ２０９）。
【００３０】
なお、Ｓ２０９の操作において、ユーザインタフェース（ＵＩ）ボタンを押下することにより、外部ディスプレイ２０の表示部２１上のユーザインタフェース（ＵＩ）部品（カーソルやマウスポインタ等）をスライド移動させることにより相対的な距離だけ移動させた後、当該ユーザインタフェース（ＵＩ）部品をユーザインタフェース（ＵＩ）ボタンの位置に戻して押下（タッチ）することにより、内部ディスプレイ１１における入力部１２からの入力を、スライドパッド入力からタッチパネル状態へ戻すようにしても良い。
【００３１】
また、この図２に示した一連の動作は、情報処理装置１０の制御部１３に設けられた図示しないＣＰＵ（Central Processing Unit）が、図示しないＲＯＭ（Read Only Memory）、ＲＡＭ（Random Access Memory）等からなる記憶部に格納されたプログラムを実行することによって行われる。
【００３２】
さらに、本実施形態においては、情報処理装置１０と外部ディスプレイ２０との間の接続を、有線を介して行う例について説明しているが、接続手段は必ずしも有線に限られず、他の接続手段を用いても良いことは勿論のことである。
【００３３】
そして、上記実施形態においては、情報処理装置１０としてスレートＰＣを想定した場合について説明したが、情報処理装置１０は、スレートＰＣに限定されることなく、板状の本体表面全面にタッチパネル式ディスプレイが搭載し、マウス等の入力デバイスを具備しない情報処理装置であれば如何なる情報処理装置であっても良い。
【００３４】
以上説明してきたように、本発明によれば、マウス等の入力デバイスを具備しない情報処理装置に対してユーザインタフェース（ＵＩ）部品が存在しない外部ディスプレイが接続された場合であっても、当該外部ディスプレイに対する操作を行うことができる情報処理装置、情報処理装置の制御方法、及び制御プログラムを得ることができるのである。
【００３５】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００３６】
１０    情報処理装置
１１、２１    表示部
１２    入力部
１３    制御部
１３１    ＵＩ入力デバイス検知部
１３２    表示部接続検出部
１３３    表示監視部
１３４    入力切替変換部
１３５    ＵＩ部品表示監視部
１３６    入力形態変換部
２０    外部ディスプレイ
【図１】
0005777934.tif 000002
【図２】
0005777934.tif 000003